(57)【特許請求の範囲】
【請求項１】
無線信号を受信する複数のアンテナ、この各アンテナの受信信号を受けてそれぞれ上記各アンテナにおけるパス検出を行う複数のパス検出部、この各パス検出部による上記各アンテナにおけるパス検出の回数をカウントするパス検出回数カウント部、及びこのパス検出回数カウント部によりカウントされた上記各アンテナにおけるパス検出回数を比較することにより上記アンテナの故障を検出する故障判定部を備えたことを特徴とする無線基地局装置。
【請求項２】
無線信号を受信する複数のアンテナ、この各アンテナの受信信号をそれぞれ増幅する複数の低ノイズアンプ、この各低ノイズアンプにより増幅された受信信号を受信ベースバンド信号に変換する複数の受信機、この各受信機により変換された受信ベースバンド信号が入力され、それぞれ上記各アンテナにおけるパス検出を行う複数のパス検出部、この各パス検出部による上記各アンテナにおけるパス検出の回数をカウントするパス検出回数カウント部、及びこのパス検出回数カウント部によりカウントされた上記各アンテナにおけるパス検出回数を比較することにより上記アンテナまたは上記低ノイズアンプまたは上記受信機の故障を検出する故障判定部を備えたことを特徴とする無線基地局装置。
【請求項３】
上記故障判定部は、定周期間隔でタイムアウトするタイマを有し、このタイマがタイムアウトする毎に各アンテナにおけるパス検出回数を上記パス検出回数カウント部から取得し、この取得した各アンテナにおけるパス検出回数の比較を行い、最も少ないパス検出回数と最も多いパス検出回数との比が規定範囲内か否かを判定することにより上記故障を検出することを特徴とする請求項１または請求項２記載の無線基地局装置。
【請求項４】
無線信号を受信する複数のアンテナ、この各アンテナの受信信号を受けてそれぞれ上記アンテナにおけるパス検出を行う複数のパス検出部、この各パス検出部による上記各アンテナにおけるパス検出の回数をカウントするパス検出回数カウント部を有し、上記パス検出回数カウント部によりカウントされた上記各アンテナにおけるパス検出回数を定周期で送信する無線基地局装置、及びこの無線基地局装置から送信される上記各アンテナにおけるパス検出回数を受信すると共に、上記各アンテナにおけるパス検出回数を必要に応じて決められた時間分積算を行い、グラフまたは表にして表示手段に表示する監視制御装置を備えたことを特徴とする無線基地局システム。
【発明の詳細な説明】
【技術分野】
【０００１】
この発明は、アンテナ及び無線機の故障検出を行う符号分割多元接続（ＣＤＭＡ）方式の無線基地局装置及び無線基地局システムに関するものである。
【背景技術】
【０００２】
特許文献１の無線基地局では、故障検出機能付き無線基地局装置およびそれを用いた移動体通信システムが開示されている。特許文献１によると、あらかじめ電力値が判明している送信信号を、移動体通信システムの基地局装置の受信機にて一時的に同調受信させ、受信機に入力される送信信号の電力値と受信電界検出による電界値とを比較し、あらかじめ定められた上限あるいは下限を超えた場合に故障と判定している。
また、特許文献２では、故障検出機能付き無線基地局装置およびそれを用いた移動体通信システムが開示されている。特許文献２によると、隣接無線基地局装置からの下り電波を無線基地局装置内の電界監視用受信機にて受信して、受信機の故障を検出している。
【０００３】
【特許文献１】特開２００２−２４６９７８号公報（第４〜７頁、図１）
【特許文献２】特開平１０−２７６１２７号公報（第３〜５頁、図１）
【発明の開示】
【発明が解決しようとする課題】
【０００４】
特許文献１のものでは、故障を検出するための回路が別途設けられており、新たな追加回路を必要とする。また故障検出箇所が受信機の故障検出に限られ、受信アンテナの故障を検出できない等のデメリットがある。さらに試験を行う際には一時的ではあるが、受信機への受信信号をアンテナから得られる信号から試験用の信号に切り替えるため、呼の切断には至らないものの、通信品質の劣化を起こすという問題がある。
また、特許文献２のものでは、検出の際に基地局装置相互にて通信する必要があるため、システムが大規模になり、また電界監視用受信部が別に必要となる。
また、故障検出をすると必ず１つの受信機が故障検出に占有され、通話可能ユーザ数が減ってしまうという問題がある。
【０００５】
この発明は、符号分割多元接続（ＣＤＭＡ）方式で、呼の切断や通信品質の劣化を招くことなく、アンテナ及び受信機の故障を検出する無線基地局装置及び無線基地局システムを得ることを目的にしている。
【課題を解決するための手段】
【０００６】
この発明に係わる無線基地局装置においては、無線信号を受信する複数のアンテナ、この各アンテナの受信信号を受けてそれぞれ各アンテナにおけるパス検出を行う複数のパス検出部、この各パス検出部による各アンテナにおけるパス検出の回数をカウントするパス検出回数カウント部、及びこのパス検出回数カウント部によりカウントされた各アンテナにおけるパス検出回数を比較することによりアンテナの故障を検出する故障判定部を備えたものである。
【発明の効果】
【０００７】
この発明は、以上説明したように、無線信号を受信する複数のアンテナ、この各アンテナの受信信号を受けてそれぞれ各アンテナにおけるパス検出を行う複数のパス検出部、この各パス検出部による各アンテナにおけるパス検出の回数をカウントするパス検出回数カウント部、及びこのパス検出回数カウント部によりカウントされた各アンテナにおけるパス検出回数を比較することによりアンテナの故障を検出する故障判定部を備えたので、パス検出回数で故障を検出するため、無線基地局装置への実装が容易であると共に、運用状態のまま故障検出を実施するので、運用の停止や呼の切断や通信品質の劣化を招くことなく、アンテナの故障を検知することができる。
【発明を実施するための最良の形態】
【０００８】
実施の形態１．
以下に、図１、図２を参照して実施の形態１について説明する。
図１は、この発明の実施の形態１による無線基地局装置を示す構成図である。
図１において、符号分割多元接続（ＣＤＭＡ）方式の無線基地局装置１０９は、無線信号を受信するアンテナ１００と、アンテナ１００からの入力信号Ｓ１００を増幅する低ノイズアンプ（以下ＬＮＡと呼称する）１０１と、増幅された受信信号Ｓ１０１を入力とし、周波数変換およびデジタルＩＱ信号への変換を行う受信機１０２と、受信ベースバンド信号Ｓ１０２を入力とし、ベースバンド復調処理を行うベースバンド復調部１０３と、故障判定部１０８を備える。また、アンテナ１００と、低ノイズアンプ１０１と受信機１０２は、アンテナ１００の個数分だけ備えている。なお、アンテナ１００の数は２以上あるものとする。
【０００９】
ベースバンド復調部１０３は、設定した閾値以上の受信電力を有し、かつ有効なＳＩＲ（Ｓｉｇｎａｌ  ｔｏ  Ｉｎｔｅｒｆｅｒｅｎｃｅ  ｐｏｗｅｒ  Ｒａｔｉｏ：希望波電力対干渉波電力比）を有するパスを選択するパス検出部１０４と、各アンテナ１００における各パスの信号Ｓ１０３を加算するＲａｋｅ合成部１０５と、Ｒａｋｅ合成された信号Ｓ１０４を復調する復調処理部１０６を有する。また、パス検出部１０４からのパス検出信号Ｓ１０７をカウントし、各アンテナ１００におけるパス検出回数を格納するパス検出回数カウント部１０７を備える。
実施の形態１では、故障判定部１０８で、各アンテナのパス検出回数を用いて、アンテナもしくはＬＮＡもしくは受信機の故障を判定するようにした。
図２は、この発明の実施の形態１による無線基地局装置の故障判定動作を示すフローチャートである。
【００１０】
次に、故障判定部１０８の動作について、図２に基き説明する。
故障判定部１０８では、あらかじめ定められた定周期間隔でタイムアウトするタイマを用意しておき、タイマがタイムアウトすると（ステップＳ１）、パス検出回数カウント部１０７でカウントされた各アンテナ１００におけるパス検出回数を取得する（ステップＳ２)。さらに、各アンテナ１００でのパス検出回数の比較を行い（ステップＳ３）、最もパス検出回数の少ないアンテナのパス検出回数と最もパス検出回数の多いアンテナのパス検出回数との比が、あらかじめ定められた規定範囲内かどうかを判定する（ステップＳ４）。この結果、規定範囲内であれば、再び定周期タイマのタイムアウトを待ち（ステップＳ１）、タイマがタイムアウトするのを待つ（ステップＳ２）。規定範囲外であれば、アンテナもしくはＬＮＡもしくは受信機の故障と判定する（ステップＳ５）。
このように、故障判定部１０８は、各アンテナ１００のパス検出回数を用いて、アンテナ１００もしくはＬＮＡ１０１もしくは受信機１０２の故障を判定する。
【００１１】
実施の形態１によれば、パス検出回数で故障を検出するため、無線基地局装置への実装が容易である。
また、受信機の入力信号をアンテナの入力信号から送信機の試験信号に切り替えるといった装置を実装せずに済むため、本機能を安価に実装することが可能である。
さらに、運用状態のまま故障検出を実施するので、運用の停止や呼の切断や通信品質の劣化を招くことなく、アンテナもしくはＬＮＡもしくは受信機の故障を検知することができる。
【００１２】
実施の形態２．
次に、図３を参照して実施の形態２について説明する。
図３は、この発明の実施の形態２による無線基地局システムを示す構成図である。
図３において、１００〜１０７、１０９は図１におけるものと同一のものである。無線基地局装置１０９には、監視制御装置１１０が接続されている。
図４は、この発明の実施の形態２による無線基地局システムの監視制御装置を示す構成図である。
図４において、監視制御装置１１０は、ＬＡＮインタフェースなどの無線基地局装置１０９と通信するためのインタフェース１１１と、ＣＰＵ装置１１２と、パス検出回数情報を格納するメモリ１１３と、ＣＰＵ装置１１２によって処理された結果を表示する表示手段であるディスプレイ１１４を備えている。
図５は、この発明の実施の形態２による無線基地局システムの監視制御装置で表示されるパス検出回数の表示例を示す図である。
図５においては、二つのアンテナＡＮＴ１、ＡＮＴ２についてのパス検出回数が表示されている。
【００１３】
実施の形態２では、無線基地局装置１０９は、各アンテナ１００におけるパス検出回数を定周期で監視制御装置１１０に報告するようにした。
監視制御装置１１０では、ＣＰＵ装置１１２により、報告されたパス検出回数を決められた時間分積算を行い、例えば、図５のように決められた時間毎にアンテナ毎のパス検出回数をグラフとしてディスプレイ１１４に表示する。その表示は、グラフでも表でもよい。例えば図５によると、アンテナＡＮＴ２のパス検出回数がある時間を境に極端に少なくなっていること、及びアンテナＡＮＴ１のパス検出回数に比べ、アンテナＡＮＴ２のパス検出回数が極端に少なくなっていることから、保守管理者は、アンテナＡＮＴ２の故障の疑いがあることを検知することができる。
このように、保守管理者が、監視制御装置１１０に報告されたパス検出回数を解析することにより、アンテナ１００もしくはＬＮＡ１０１もしくは受信機１０２の故障の疑いを検知することができる。
【００１４】
実施の形態２によれば、無線基地局装置は、パス検出回数を監視制御装置に定周期で報告し、保守管理者が、監視制御装置に報告されたパス検出回数を解析することにより、アンテナもしくはＬＮＡもしくは受信機の故障を検知することができる。
【図面の簡単な説明】
【００１５】
【図１】この発明の実施の形態１による無線基地局装置を示す構成図である。
【図２】この発明の実施の形態１による無線基地局装置の故障判定動作を示すフローチャートである。
【図３】この発明の実施の形態２による無線基地局システムを示す構成図である。
【図４】この発明の実施の形態２による無線基地局システムの監視制御装置を示す構成図である。
【図５】この発明の実施の形態２による無線基地局システムの監視制御装置で表示されるパス検出回数の表示例を示す図である。
【符号の説明】
【００１６】
１００  アンテナ
１０１  ＬＮＡ
１０２  受信機
１０３  ベースバンド復調部
１０４  パス検出部
１０５  Ｒａｋｅ合成部
１０６  復調処理部
１０７  パス検出回数カウント部
１０８  故障判定部
１０９  無線基地局装置
１１０  監視制御装置
１１１  インタフェース
１１２  ＣＰＵ装置
１１３  メモリ
１１４  ディスプレイ
【図１】
0004624197.tif 000002
【図２】
0004624197.tif 000003
【図３】
0004624197.tif 000004
【図４】
0004624197.tif 000005
【図５】
0004624197.tif 000006